(57)【要約】【課題】多目的であって、乗客が容易に取り扱うことができる折畳テーブル構造を提供する。【解決手段】支持具とテーブルハウジングとを備えた折畳テーブル構造。テーブルハウジングは、高さ調節可能に支持具上に配置されていて、本質的に垂直である収納位置に、テーブルトップ要素を収納する。テーブルトップ要素は、上記収納位置から、本質的に水平な使用位置へと調整可能である。使用位置において、テーブルトップ要素は、テーブルハウジング上で下方から支持される。【選択図】図１
2008074396.tif 000002
【特許請求の範囲】
【請求項１】
支持具とテーブルハウジング（５）とを備えた折畳テーブル構造であって、
テーブルハウジング（５）は、高さ調節可能に支持具上に配置されていて、本質的に垂直である収納位置に、テーブルトップ要素（７、８）を収納し、
テーブルトップ要素（７、８）は、上記収納位置から、本質的に水平な使用位置へと調整可能であって、
上記使用位置において、テーブルトップ要素（７、８）は、テーブルハウジング（５）上で下方から支持されることを特徴とする、折畳テーブル構造。
【請求項２】
更にテーブルハウジングキャリア（３）を少なくとも１つ備えており、
当該キャリア（３）は、上記支持具上を本質的に水平に移動でき、
上記テーブルハウジング（５）は、テーブルハウジングキャリア（３）上に高さ調節可能に配置されていることを特徴とする、請求項１記載の折畳テーブル構造。
【請求項３】
上記テーブルハウジング（５）は、上記支持具の上端を超えて突出できるよう、当該支持具に対して高さ調節可能であることを特徴とする、請求項１または２記載の折畳テーブル構造。
【請求項４】
テーブルハウジングキャリア（３）を少なくとも１つ備えており、当該キャリア（３）は、上記支持具上のスライドレール（２）上を本質的に水平方向に移動できることを特徴とする、請求項２または３記載の折畳テーブル構造。
【請求項５】
上記テーブルハウジング（５）は、上記支持具上のスライドレール（４）上、または上記少なくとも１つのテーブルハウジングキャリア（３）上に、高さ調節可能に配置されていることを特徴とする、請求項１〜４のいずれか１つに記載の折畳テーブル構造。
【請求項６】
上記テーブルハウジング（５）の高さ調節が外的な力によってアシストされることを特徴とする、請求項１〜５のいずれか１つに記載の折畳テーブル構造。
【請求項７】
上記外的な力は、エネルギ貯蔵部（１４）により与えられることを特徴とする、請求項６記載の折畳テーブル構造。
【請求項８】
上記テーブルハウジング（５）の高さ調節が、当該ハウジング（５）を少なくとも２つの異なる高さ位置に固定するロック手段により行われることを特徴とする、請求項１〜５のいずれか１つに記載の折畳テーブル構造。
【請求項９】
上記テーブルトップ要素（７、８）を含む折畳テーブルは、テーブルハウジング（５）内の収納位置から上方へ引き出して、使用位置へと回動可能であることを特徴とする、請求項１〜８のいずれか１つに記載の折畳テーブル構造。
【請求項１０】
上記折畳テーブルは、互いに折畳み可能な少なくとも２つのテーブルトップ要素（７、８）を有することを特徴とする、請求項９記載の折畳テーブル構造。
【請求項１１】
上記２つのテーブルトップ要素（７、８）は、使用状態において、両者の連結箇所に沿って支持要素（１１）で支持されており、
当該支持要素（１１）は、収納状態においては、テーブルハウジング（５）の上部をカバーとして閉じることを特徴とする、請求項１０記載の折畳テーブル構造。
【請求項１２】
上記テーブルトップ要素（７、８）は、使用位置において、テーブルハウジング（５）に対して水平方向に移動可能であることを特徴とする、請求項１〜１１のいずれか１つに記載の折畳テーブル構造。
【発明の詳細な説明】
【技術分野】
【０００１】
本発明は、折畳み可能なテーブル構造に関する。
【背景技術】
【０００２】
折畳み可能なテーブル構造は、特に、飛行機等の輸送手段において、広く使用されている。そのような構造は、使用位置から収納位置へと調整可能な、いわゆる折畳テーブルを備える。
折畳テーブルは、例えば、飛行機の離着陸時に、ユーザの至近領域から遠ざけられる。
【０００３】
特に、商業的な長距離旅客機のファーストクラスやビジネスクラスにおいては、シート間の距離は、通常は、乗客が使用する折畳テーブルが、前席のバックレストに接することがないように設定されている（従来のエコノミークラスのシートアレンジメントでは、接することがあるが）。
【０００４】
一方、そのような折畳テーブルは、乗客シートの前方において、壁、パーティション、サイドボード（credenza）等の家具に対して、横方向にフィットする必要がある。
【０００５】
旅客機の客室等で使用される折畳式のテーブルとしては、例えば、特許文献１に示したものが知られている。
【０００６】
【特許文献１】特開２０００−５２８３２号公報
【発明の開示】
【発明が解決しようとする課題】
【０００７】
本発明の目的は、多目的であって、乗客が容易に取り扱うことができる折畳テーブル構造を提供することである。
【課題を解決するための手段】
【０００８】
本発明の折畳テーブル構造は、支持具とテーブルハウジングとを備える。テーブルハウジングは、高さ調節可能に支持具上に配置されていて、本質的に垂直である収納位置に、テーブルトップ要素を収納する。テーブルトップ要素は、収納位置から、本質的に水平な使用位置へと調整可能である。使用位置において、テーブルトップ要素は、テーブルハウジング上で下方から支持される。
【０００９】
本発明において使用する語句の説明をすると、次の通りである。
【００１０】
「支持具」は、その上にテーブルがフィットできるあらゆる構造であって、テーブルに作用する力を吸収および分散させるものを意味する。特に、「支持具」は、例えば、航空機の内壁、乗客シート間のパーティション、サイドボード（credenza）等の家具の壁面、その他、本質的に垂直な壁として設計されてもよい。
【００１１】
「テーブルハウジング」は、支持具上に高さ調節可能に配置される。高さ調節とは、支持具に対するテーブルハウジングの垂直高さの調節を意味し、これは、いかなる工具も必要とせずに簡単に行うことができる。
【００１２】
「テーブルハウジング」は、本質的に垂直な収納位置にテーブルトップを収納する。この垂直な収納位置において、テーブルトップは、支持具の壁面と本質的に平行であることが好ましい。
「テーブルハウジング」という語は、機能的な意味として理解すべきであって、この語が示すものは、一方では、高さ調節可能に支持具上に配置され、他方では、テーブルトップを収納し、支持しうる構造である。
「テーブルハウジング」は、テーブルトップを、収納状態において、少なくとも部分的に、好ましくは完全に収容する。
【００１３】
「テーブルトップ」は、テーブルハウジング内の本質的に垂直な収納位置から、本質的に水平な使用位置へと、調整可能である。好ましくは、「テーブルトップ」はテーブルハウジング内から上方へ引き出され、その後、水平の使用位置へと回動する。
使用位置においては、テーブルトップの下面がテーブルハウジング上に支持される。これは、「使用位置においてテーブルトップに作用する力が、まず、テーブルハウジング内に分散され、そして支持具に伝達される」ということを意味する。
【００１４】
本発明の基本的なアイデアは、次のことを実現するための機構にある。すなわち、一方において、テーブルトップをテーブルハウジング外に引き出して両者を分離し、当該テーブルトップを使用位置へと回動させる。他方において、テーブルの高さを調節し、これにより、支持具上でテーブルハウジングを全体として高さ調節可能とする。
テーブルハウジングは、一方において、テーブルトップを収納位置に収納し、他方において、使用位置にあるテーブルトップを支持する。
テーブルトップは、自立可能なタイプであることは好ましい。すなわち、テーブルトップに作用する全ての力がテーブルハウジング内へと分散する。
【発明の効果】
【００１５】
本発明による特別の利益は、支持具上でテーブルハウジングの高さ調節をすることで、テーブルハウジングの上端（そして、使用状態におけるテーブルトップの位置）が、支持具（例えば、商業用旅客機のサイドボード（credenza））の上端を超えた上方に位置しうる、ということである。
商業用旅客機におけるサイドボードの高さは、通常は、座席のアームレストの高さよりも低いか、丁度同じくらいのレベルである。このレベルよりも上方位置まで調節可能なテーブルハウジングを使用することで、使用状態において、サイドボードの上端よりも高い位置にテーブル（テーブルトップ）を設置することが可能となる。
【００１６】
特に好ましい具体例においては、本発明の折畳テーブル構造は、さらに、テーブルハウジングキャリアを少なくとも１つ備えている。このテーブルハウジングキャリアは、支持具上を本質的に水平方向に移動できる。テーブルハウジングキャリア上には、テーブルハウジングが高さ調節可能に配置されている。
【００１７】
この具体例においては、テーブルハウジングは、支持具に対して機械的に連結されている。ただし、直接的に連結されるのではなく、少なくとも１つの個別のテーブルハウジングキャリアを介して連結されている（キャリアは２つであることが好ましい）。
かかる構成により、テーブルハウジング全体が水平方向にも調節可能となる。
【００１８】
この目的のため、テーブルハウジングキャリア（１つまたは複数）は、支持具上に設けたスライドレール上を、本質的に水平方向へ移動可能とすることが好ましい。支持具に対するテーブルハウジングキャリアの水平方向位置を固定するためのロック手段を設けることが好ましい。
【００１９】
テーブルハウジングキャリアや支持具に対するテーブルハウジングの高さ調節も、スライドレールを用いて、同様に実現する。
【００２０】
テーブルハウジングの高さ調節は、外的な力によってアシストされることが好ましい。これは、重力に抗してテーブルハウジングを持ち上げることを、外的な力が助けることを意味している。この外的な力は、機械的または電気的に生じるものである。外的な力は、予め圧縮させておいたスプリング要素により生じることが好ましい。例えば、１または２以上の空気圧縮スプリングである。
【００２１】
テーブルハウジングの高さ調節は、テーブルハウジングを少なくとも２以上の異なる高さ位置に固定するロック手段によって行われることが好ましい。
【００２２】
テーブルハウジングは上部に開口を有することが好ましく、当該開口を介して、折畳テーブルが上方へ引き上げられる。折畳テーブルは、完全に引き上げられると、使用位置へと回動することが可能である。
一方ではピボットピン上に固定されることにより、他方ではテーブルハウジングの上端に支持されることにより、折畳テーブルは、使用位置に保持される。
【００２３】
テーブルトップは、互いに揺動可能な少なくとも２つのテーブルトップ要素で構成される。２つのテーブルトップ要素は、ヒンジにより連結されていることが好ましい。
収納位置においては、２つのテーブルトップ要素は、テーブルハウジング内において折り畳まれている。使用位置においては、両者は拡げられてテーブル幅を大きくする。
【００２４】
２つのテーブルトップ要素は、使用時には、両者の連結位置に沿って支持要素で支持されることが好ましい。この支持要素は、使用時には、２つのテーブルトップ要素の連結位置の下方側に位置し、収納状態においては、テーブルハウジングの上部開口を閉じるカバーとして機能する。
【００２５】
テーブルハウジングとテーブルハウジングキャリアとが全体として水平方向に可動であることに加えて、折畳テーブル自体が、使用位置において、テーブルハウジングに対して水平方向に移動可能である。例えば、入子式ロッドを利用して、これを実現できる。
【発明を実施するための最良の形態】
【００２６】
平行に延在する２本のスライドレール２が、支持具（サイドボード１、図３参照）上に配置されている。２つのテーブルハウジングキャリア３が、スライドレール２に配置されていて、水平移動する。
テーブルハウジングキャリア３は、さらに、テーブルハウジング５内のスライドレール４と協働する（図２に概略的に示した）。このように、テーブルハウジング５は、キャリア３に対して垂直方向に移動する。
【００２７】
テーブルハウジング５内には、テーブルがスライドレール６上を移動可能なように配置されている（図２参照）。このテーブルは、互いに折り畳むことのできる２つのテーブルトップ要素７、８を有する。
テーブルトップ要素７はピボットピン９を備え（図３参照）、このピボットピン９の両端は、スライドレール６内を移動可能である。
【００２８】
２つのテーブルトップ要素７、８は、ヒンジ１０で連結されている。支持要素１１がヒンジに固定されている。使用時に、支持要素１１は、ヒンジ１０による連結部に沿って２つのテーブルトップ要素７、８を支持し、使用時の安定性を高める。
収納状態には、支持要素１１は、上方カバーとしてテーブルハウジング５を閉じる。
【００２９】
図４から分かるように、２つのテーブルトップ要素７、８は、入子式レール１２を有していて、これによって、テーブルトップ要素７、８は、テーブルハウジング５に対しても平行に移動できる。
そのために、短テーブル要素１３がさらに設けられていて、この短テーブル要素１３に対して、２つのテーブルトップ要素７、８が入子式レール１２上を移動する。
【００３０】
本発明の折畳テーブル構造は、次のように使用する。
【００３１】
最初、折畳テーブル構造は、収納状態にある。テーブルを使用する場合（例えば、飛行機が巡航高度に達したとき）、乗客は、まず、テーブルハウジング５をスライドレール２に連結したテーブルハウジングキャリア３で移動させることで、このテーブルを所望の水平位置へと位置させる。
【００３２】
その後、テーブルハウジング５は、スライドレール４に沿って移動させることで、キャリア３に対して所望の垂直位置にセットされる。エア圧縮スプリング１４（図２参照）は、テーブルハウジングおよびテーブルの重量に対抗する力を作用させることで、この動作をアシストする。
【００３３】
テーブルハウジング５は、不図示の固定手段により、所望の高さ位置に固定することができる。例えば、この目的のため、ロックピンを有孔ストリップに係合させる。
【００３４】
その後、上方からテーブルを掴んで、ハウジング５外へ引き出す。そのとき、ピボットピン９の対応する端部領域が、テーブルハウジング５のスライドレール６内をスライドする。
【００３５】
ピボットピン９がスライドレール６内の上端ストップに達すると、テーブルはこのピボットピン９を中心として回動し、水平な使用位置に位置する。その後、テーブルトップ要素８が、ヒンジ１０を中心として、テーブルトップ要素７に対して上方へ回動する。
ユーザは、さらに、テーブルハウジング５に対して水平方向に、２つのテーブルトップ要素７、８を、入子式レール１２上で移動させることができる。
本発明の折畳テーブル構造を収納する場合は、以上に説明した工程を逆にたどる。
【図面の簡単な説明】
【００３６】
【図１】本発明の折畳テーブル構造を、複数の異なる位置にセットした状態を示す概略図。
【図２】テーブルハウジングの概略垂直断面図および概略水平断面図。
【図３】本発明の折畳テーブル構造を収納位置および使用状態において示す、図２中のＥ−Ｅ線に沿う垂直断面図。
【図４】本発明の折畳テーブル構造を使用状態において示す、図３中のＢ−Ｂ線に沿う断面図。
【符号の説明】
【００３７】
１  サイドボード
２  スライドレール
３  テーブルハウジングキャリア
４  スライドレール
５  テーブルハウジング
６  スライドレール
７  テーブルトップ要素
８  テーブルトップ要素
９  ピボットピン
１０  ヒンジ
１１  支持要素
１２  入子式レール
１３  短テーブル要素
１４  エア圧縮スプリング
【図１】
2008074396.tif 000003
【図２】
2008074396.tif 000004
【図３】
2008074396.tif 000005
【図４】
2008074396.tif 000006